【手続補正書】
【提出日】平成19年2月26日(2007.2.26)
【手続補正１】
【補正対象書類名】明細書
【補正対象項目名】発明の名称
【補正方法】変更
【補正の内容】
【発明の名称】受信通信信号を処理する方法、ワイヤレス通信システムに使用する端末、および受信通信信号を処理する装置
【手続補正２】
【補正対象書類名】明細書
【補正対象項目名】特許請求の範囲
【補正方法】変更
【補正の内容】
【特許請求の範囲】
【請求項１】 ワイヤレス通信システムのセルに対する同期信号の組合せを含む受信通信信号を処理する方法であって、同期信号は共通同期符号に従って符号化されており、該方法は、
受信通信信号を共通同期符号と相関させて同期検出信号を作り出すステップ（５０５）と、
既知の同期信号に関連する同期検出信号のコンポーネントを同期検出信号からキャンセルして干渉キャンセル同期検出信号を作り出すステップ（５１０，５１５）と、
干渉キャンセル同期検出信号から同期信号のタイミングを決定するステップ（５２０，５２５）と、を含むことを特徴とする方法。
【請求項２】 請求項１記載の方法であって、前記キャンセルするステップは、
評価された既知の受信同期信号と共通同期符号との相関を発生するステップ（５１０）と、
評価された既知の受信同期信号と共通同期符号との相関を同期検出信号からキャンセルして干渉キャンセル同期検出信号を作り出すステップ（５１５）と、を含み、
前記タイミングを決定するステップは、
干渉キャンセル同期検出信号を時間間隔にわたって累算するステップ（５２０）と、
累算された干渉キャンセル同期検出信号内のピークを検出するステップ（５２５）と、
検出されたピークから同期信号のタイミングを決定するステップ（５２５）と、を含む方法。
【請求項３】 請求項２記載の方法であって、前記評価された既知の受信同期信号と共通同期符号との相関を発生するステップは、
既知の同期信号が送信されるチャネルの評価値を有する既知の同期信号の表現をフィルタリングして評価された既知の受信同期信号を作り出すステップと、
評価された既知の受信同期信号を同期符号と相関させるステップと、
を含む方法。
【請求項４】 請求項１記載の方法であって、前記キャンセルするステップは、
同期検出信号を時間間隔にわたって累算するステップ（７１０）と、
既知の同期信号に関連しない累算された同期検出信号内のピークを識別するステップ（７１５）と、を含み、
前記タイミングを決定するステップは識別されたピークから同期信号のタイミングを決定するステップ（７２０）を含む方法。
【請求項５】 請求項４記載の方法であって、前記ピークを識別するステップは既知の同期信号に関連しない累算された同期検出信号内の予め定められた規準に合致するピークを識別するステップを含む方法。
【請求項６】 請求項４記載の方法であって、前記ピークを識別するステップは、
既知の同期信号に関連しない累算された同期検出信号内の複数のピークを識別するステップと、
選択基準に従って複数のピークの中のピークを選択するステップと、を含み、前記タイミングを決定するステップは選択されたピークから同期信号のタイミングを決定するステップを含む方法。
【請求項７】 請求項１記載の方法であって、既知の同期信号は予め識別されたセルに関連する同期信号を含む方法。
【請求項８】 請求項７記載の方法であって、既知の同期信号は端末が現在トラフィックチャネルを介して通信しているセルに関連する同期信号を含む方法。
【請求項９】 請求項７記載の方法であって、１組の候補セルに関連する１組の同期信号を識別するステップが前記キャンセルするステップに先行し、
前記キャンセルするステップは候補セルセットの中のセルに関連する同期信号に対応する同期検出信号のコンポーネントを同期検出信号からキャンセルして干渉キャンセル同期検出信号を作り出すステップを含む方法。
【請求項１０】 請求項９記載の方法であって、前記１組の既知の同期信号を識別するステップは、
通信媒体から通信信号を受信するステップと、
受信された通信信号内の同期信号を識別するステップと、
識別された同期信号が関連するセルを識別するステップと、
識別されたセルに関連する識別された同期信号が予め定められた規準に合致する場合には識別されたセルを候補セルセットに加えるステップと、
を含む方法。
【請求項１１】 請求項１記載の方法であって、各同期信号が共通同期符号に従って符号化された部分を含む方法。
【請求項１２】 請求項１記載の方法であって、共通同期信号が各セル内でパイロットチャネルを介して送信される方法。
【請求項１３】 請求項１記載の方法であって、前記相関させる、キャンセルするおよび決定するステップはワイヤレス端末においてスリープモードからの端末の目覚めに応答して実施される方法。
【請求項１４】 請求項１３記載の方法であって、前記相関させるステップは、
スリープモードから目覚めるステップ（８０５）と、
通信媒体から通信信号を受信するステップ（８１０）と、
受信された通信信号に基づいて１組の候補セルを評価するステップ（８１５）と、を含み、
前記相関させるステップは評価された候補セルが予め定められた基準に合致しない場合には受信された通信信号を相関させて同期検出信号を作り出すステップ（８２０）を含み、
前記キャンセルするステップは、
同期検出信号を時間間隔にわたって累算するステップ（８２５）と、
候補セルの中の1つに関連する既知の同期信号に関連しない累算された同期検出信号内のピークを識別するステップ（８３０）と、を含み、
前記タイミングを決定するステップは識別されたピークから同期信号のタイミングを決定するステップを含み、
前記方法は、さらに、識別されたピークに関連する同期信号の決定されたタイミングから識別されたピークに関連する新しい候補セルを識別するステップ（８３５）を含む方法。
【請求項１５】 請求項１記載の方法であって、前記相関させる、キャンセルするおよび決定するステップはワイヤレス端末において端末がアクティブモードである間に実施される方法。
【請求項１６】 請求項１記載の方法であって、前記キャンセルするステップには、
既知の同期信号のタイミング、
既知の同期信号が端末において受信されるチャネルのチャネル特性、
端末で受信される既知の同期信号に関連するパルス形状、
端末で受信される既知の同期信号に関連するパス損失、および、
既知の同期信号に関連する符号、
の中の少なくとも１つの知識に基づいて既知の同期信号に関連するコンポーネントを決定するステップが先行する方法。
【請求項１７】 請求項１記載の方法であって、前記キャンセルするステップは、
評価された第１の既知の受信同期信号と共通同期符号との相関を発生するステップと、
評価された第１の既知の受信同期信号と共通同期符号との相関を同期検出信号からキャンセルして干渉キャンセル同期検出信号を作り出すステップと、
干渉キャンセル同期検出信号を時間間隔にわたって累算するステップと、
第２の既知の同期信号に関連しない干渉キャンセル同期検出信号の中のピークを識別するステップと、を含み、
前記タイミングを決定するステップは識別されたピークから同期信号のタイミングを決定するステップを含む方法。
【請求項１８】 請求項１記載の方法であって、同期信号の各々がさらに特定セル同期符号に従って符号化され、前記タイミングを決定するステップには同期信号の決定されたタイミングに基づいて特定セル同期符号を決定して特定セル同期符号に関連するセルを識別するステップが続く方法。
【請求項１９】 共通同期符号に従って同期信号が送信される複数のセルを含むワイヤレス通信システムに使用する端末（３００）であって、該端末は同期信号の組合せを表わす通信信号を受信する手段（３７０）を含み、さらに、
前記受信手段に応答して、受信された通信信号を共通同期符号と相関させて同期検出信号を作り出す手段（４０５）と、
前記相関手段に応答して、既知の同期信号に関連する同期検出信号のコンポーネントを同期検出信号からキャンセルして干渉キャンセル同期検出信号を作り出す手段（４３０，４３５，Σ）と、
前記キャンセル手段に応答して、干渉キャンセル同期検出信号から同期信号のタイミングを決定する手段（４１０，４１５）と、
を含むことを特徴とする端末。
【請求項２０】 請求項１９記載の端末であって、前記キャンセル手段は、
評価された既知の受信同期信号と共通同期符号との相関を発生する手段（４３０，４３５）と、
前記発生手段に応答して、評価された既知の受信同期信号と共通同期符号との相関を同期検出信号からキャンセルして干渉キャンセル同期検出信号を作り出す手段（Σ）と、を含み、前記タイミング決定手段は、
干渉キャンセル同期検出信号を時間間隔にわたって累算する手段（４１０）と、
前記累算手段に応答して、累算された干渉キャンセル同期検出信号内のピークを検出する手段（４１５）と、
前記検出手段に応答して、検出されたピークから同期信号のタイミングを決定する手段（４２０，４２５）と、
を含む端末。
【請求項２１】 請求項２０記載の端末であって、前記評価された既知の受信同期信号と共通同期符号との相関を発生する手段は、
既知の同期信号が送信されるチャネルの評価値を有する既知の同期信号の表現をフィルタリングして評価された既知の受信同期信号を作り出す手段（４３０）と、
前記フィルタリング手段に応答して、評価された既知の受信同期信号を同期符号と相関させる手段（４３５）と、
を含む端末。
【請求項２２】 請求項１９記載の端末であって、前記キャンセル手段は、
同期検出信号を時間間隔にわたって累算する手段（６１０）と、
前記累算手段に応答して、既知の同期信号に関連しない累算された同期検出信号内のピークを識別する手段（６１５）と、を含み、
タイミングを決定する手段は識別されたピークから同期信号のタイミングを決定する手段（６２０）を含む端末。
【請求項２３】 請求項２２記載の端末であって、前記ピーク識別手段は既知の同期信号に関連しない累算された同期検出信号内の予め定められた基準に合致するピークを識別する手段を含む端末。
【請求項２４】 請求項２２記載の端末であって、前記ピーク識別手段は、
既知の同期信号に関連しない累算された同期検出信号内の複数のピークを識別する手段と、
前記複数のピークを識別する手段に応答して、選択規準に従って複数のピークの中のピークを選択する手段と、を含み、
前記タイミングを決定する手段は選択されたピークから同期信号のタイミングを決定する手段を含む端末。
【請求項２５】 請求項１９記載の端末であって、さらに、セルの識別を格納する手段を含み、既知の同期信号は格納されたセル識別に関連する同期信号を含む端末。
【請求項２６】 請求項２５記載の端末であって、さらに、１組の候補セルに対して送信される１組の同期信号を識別する手段を含み、キャンセル手段は同期検出信号の候補セルセットの中のセルに関連する同期信号に対応するコンポーネントを同期検出信号からキャンセルして干渉キャンセル同期検出信号を作り出す手段を含む端末。
【請求項２７】 請求項２６記載の端末であって、前記１組の既知の同期信号を識別する手段は、
通信媒体から通信信号を受信する手段と、
前記受信手段に応答して、受信された通信信号内の同期信号を識別する手段と、
前記同期信号識別手段に応答して、識別された同期信号が関連するセルを識別する手段と、
前記セル識別手段に応答して、識別されたセルに関連する識別された同期信号が予め定められた規準に合致する場合には識別されたセルを候補セルセットに加える手段と、
を含む端末。
【請求項２８】 請求項１９記載の端末であって、各同期信号が共通同期符号に従って符号化された部分を含む端末。
【請求項２９】 請求項１９記載の端末であって、共通同期信号が各セル内でパイロットチャネルを介して送信される端末。
【請求項３０】 請求項１９記載の端末であって、さらに、端末をアクティブおよびスリープモード間で遷移させる手段（３６０）を含み、前記受信手段、前記相関手段、前記キャンセル手段および前記決定手段は前記遷移手段に応答して通信信号を受信し、受信された通信信号を共通同期符号に相関させ、干渉キャンセル相関を作り出しスリープモードからの端末の目覚めに応答して干渉キャンセル相関から同期シーケンスのタイミングを決定する端末。
【請求項３１】 請求項１９記載の端末であって、さらに、
既知の同期信号のタイミング、
既知の同期信号が端末において受信されるチャネルのチャネル特性、
端末で受信される既知の同期信号に関連するパルス形状、
端末で受信される既知の同期信号に関連するパス損失、および、
既知の同期信号に関連する符号、
の中の少なくとも１つの知識に基づいて既知の同期信号に関連するコンポーネントを決定する手段を含む端末。
【請求項３２】 請求項１９記載の端末であって、前記キャンセル手段は、
評価された第１の既知の受信同期信号と共通同期符号との相関を発生する手段と、
前記評価された第１の既知の受信同期信号の相関を発生する手段に応答して、評価された第１の既知の受信同期信号と共通同期符号との相関を同期検出信号からキャンセルして干渉キャンセル同期検出信号を作り出す手段と、
前記評価された第１の既知の受信同期信号の相関をキャンセルする手段に応答して、干渉キャンセル同期検出信号を時間間隔にわたって累算する手段と、
前記累算手段に応答して、第２の既知の同期信号に関連しない干渉キャンセル同期検出信号の中のピークを識別する手段と、を含み、
前記タイミングを決定する手段は識別されたピークから同期信号のタイミングを決定する手段を含む端末。
【請求項３３】 請求項１９記載の端末であって、同期信号の各々がさらに特定セル同期符号に従って符号化され、さらに同期信号の決定されたタイミングに基づいて特定セル同期符号を決定して特定セル同期符号に関連するセルを識別する手段を含む端末。
【請求項３４】 ワイヤレス通信システムのセルに対する同期信号の組合せを表わす受信通信信号を処理する装置であって、同期信号は共通同期符号に従って符号化され、該装置は、
受信された通信信号を共通同期符号と相関させて同期検出信号を作り出す第１の相関器（４０５）と、
前記第１の相関器に応答して、既知の同期信号に関連する同期検出信号のコンポーネントを同期検出信号からキャンセルして干渉キャンセル同期検出信号を作り出す干渉キャンセラー（４３０，４３５，Σ）と、
干渉キャンセル同期検出信号から同期信号のタイミングを決定するように動作するタイミング決定器（４１０，４１５）と、
を含む装置。
【請求項３５】 請求項３４記載の装置であって、前記干渉キャンセラーは、
評価された既知の受信同期信号を発生するように動作する既知の受信同期信号評価器（４３０）と、
前記既知の受信同期信号評価器に応答して評価された既知の受信同期信号と共通同期符号との相関を発生するように動作する第２の相関器（４３５）と、
前記第１の相関器および前記第２の相関器に応答して評価された既知の受信同期信号と共通同期符号との相関を同期検出信号からキャンセルし干渉キャンセル同期検出信号を作り出すキャンセラー（Σ）と、を含み、
前記タイミング決定器は、
前記キャンセラーに応答して干渉キャンセル同期検出信号を時間間隔にわたって累算するように動作する累算器と、
前記累算器に応答して累算された干渉キャンセル同期検出信号内のピークを検出するように動作するピーク検出器と、
前記ピーク検出器に応答して検出されたピークから同期信号のタイミングを決定するように動作するタイミング決定器と、
を含む装置。
【請求項３６】 請求項３４記載の装置であって、前記干渉キャンセラーは、
前記第１の相関器に応答して同期検出信号を時間間隔にわたって累算するように動作する累算器と、
前記累算器に応答して既知の同期信号に関連しない累算された同期検出信号内のピークを検出するように動作するピーク検出器と、を含み、
前記タイミング決定器は前記ピーク検出器に応答して検出されたピークから同期信号のタイミングを決定するように動作する装置。
【請求項３７】 請求項３４記載の装置であって、各同期信号が共通同期符号に従って符号化された部分を含む装置。
【請求項３８】 請求項３４記載の装置であって、共通同期信号は各セル内でパイロットチャネルを介して送信される装置。
【請求項３９】 請求項３４記載の装置であって、前記干渉キャンセラーは、
既知の同期信号のタイミング、
既知の同期信号が端末において受信されるチャネルのチャネル特性、
端末で受信される既知の同期信号に関連するパルス形状、
端末で受信される既知の同期信号に関連するパス損失、および、
既知の同期信号に関連する符号、
の中の少なくとも１つの知識に基づいて既知の同期信号に関連するコンポーネントをキャンセルするように動作する装置。
【請求項４０】 請求項３４記載の装置であって、前記干渉キャンセラーは、
評価された第１の既知の受信同期信号を発生するように動作する既知の受信同期信号評価器と、
前記既知の受信同期信号評価器に応答して評価された第１の既知の受信同期信号と共通同期符号との相関を発生するように動作する第２の相関器と、
前記第１の相関器および前記第２の相関器に応答して評価された第１の既知の受信同期信号と共通同期符号との相関を同期検出信号からキャンセルし干渉キャンセル同期検出信号を作り出すキャンセラーと、
前記キャンセラーに応答して干渉キャンセル同期検出信号を時間間隔にわたって累算するように動作する累算器と、
前記累算器に応答して第２の既知の同期信号に関連しない干渉キャンセル同期検出信号内のピークを検出するように動作するピーク検出器と、を含み、
前記タイミング決定器は識別されたピークから同期信号のタイミングを決定するように動作する装置。